【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
画像を撮像する撮像手段と、
露光された前記撮像手段の輝度値と予め設定される適正な輝度値とに基づいて、前記撮像手段の輝度値と前記適正な輝度値との異なり度合いを算出するとともに、設定される絞り値に基づいて前記撮像素子の感度低下分の値を算出し、設定される前記絞り値、設定されるシャッタスピード、設定される前記撮像素子の感度、前記撮像素子の感度低下分の値、及び、前記撮像手段の輝度値と前記適正な輝度値との異なり度合いを用いた所定の演算処理により、被写体輝度値を算出する第１の算出手段と、
所定のプログラム線図を用いて、設定される前記撮像手段の感度及び前記被写体輝度値から絞り値を算出する第２の算出手段と、
前記第２の算出手段により算出された前記絞り値に基づき前記撮像手段の露光制御を行う露光制御手段と、
前記第２の算出手段により算出された前記絞り値に基づいてガンマ値を選択するガンマ選択手段と、
前記ガンマ選択手段により選択されたガンマ値に基づいて、前記露光制御手段の露光制御により得られる画像情報に対する画像処理を行う画像処理手段とを有することを特徴とする撮像装置。
【請求項２】
前記第２の算出手段は、前記所定のプログラム線図を用いて前記撮像手段の感度及び前記被写体輝度値から、前記絞り値に加えてシャッタスピード値を算出し、前記露光制御手段は、前記絞り値及び前記シャッタスピード値に基づき前記撮像手段の露光制御を行うことを特徴とする請求項１に記載の撮像装置。
【請求項３】
前記第２の算出手段により算出される前記絞り値に基づいて、前記撮像素子の感度低下分の値を算出する第３の算出手段を更に有し、
前記ガンマ選択手段は、前記第３の算出手段により算出される前記感度低下分の値に基づいてガンマ値を選択することを特徴とする請求項１又は２に記載の撮像装置。
【請求項４】
画像を撮像する撮像手段を有する撮像装置の制御方法であって、
露光された前記撮像手段の輝度値と予め設定される適正な輝度値とに基づいて、前記撮像手段の輝度値と前記適正な輝度値との異なり度合いを算出するとともに、設定される絞り値に基づいて前記撮像素子の感度低下分の値を算出し、設定される前記絞り値、設定されるシャッタスピード、設定される前記撮像素子の感度、前記撮像素子の感度低下分の値、及び、前記撮像手段の輝度値と前記適正な輝度値との異なり度合いを用いた所定の演算処理により、被写体輝度値を算出する第１の算出ステップと、
所定のプログラム線図を用いて、設定される前記撮像手段の感度及び前記被写体輝度値から絞り値を算出する第２の算出ステップと、
前記第２の算出ステップにより算出された前記絞り値に基づき前記撮像手段の露光制御を行う露光制御ステップと、
前記第２の算出ステップにより算出された前記絞り値に基づいてガンマ値を選択するガンマ選択ステップと、
前記ガンマ選択ステップにより選択されたガンマ値に基づいて、前記露光制御ステップの露光制御により得られる画像情報に対する画像処理を行う画像処理ステップとを含むことを特徴とする撮像装置の制御方法。
【請求項５】
画像を撮像する撮像手段を有する撮像装置の制御方法をコンピュータに実行させるためのプログラムであって、
露光された前記撮像手段の輝度値と予め設定される適正な輝度値とに基づいて、前記撮像手段の輝度値と前記適正な輝度値との異なり度合いを算出するとともに、設定される絞り値に基づいて前記撮像素子の感度低下分の値を算出し、設定される前記絞り値、設定されるシャッタスピード、設定される前記撮像素子の感度、前記撮像素子の感度低下分の値、及び、前記撮像手段の輝度値と前記適正な輝度値との異なり度合いを用いた所定の演算処理により、被写体輝度値を算出する第１の算出ステップと、
所定のプログラム線図を用いて、設定される前記撮像手段の感度及び前記被写体輝度値から絞り値を算出する第２の算出ステップと、
前記第２の算出ステップにより算出された前記絞り値に基づき前記撮像手段の露光制御を行う露光制御ステップと、
前記第２の算出ステップにより算出された前記絞り値に基づいてガンマ値を選択するガンマ選択ステップと、
前記ガンマ選択ステップにより選択されたガンマ値に基づいて、前記露光制御ステップの露光制御により得られる画像情報に対する画像処理を行う画像処理ステップとをコンピュータに実行させるためのプログラム。
【請求項６】
画像を撮像する撮像手段を有する撮像装置の制御方法をコンピュータに実行させるためのプログラムを記録したコンピュータ読み取り可能な記録媒体であって、
露光された前記撮像手段の輝度値と予め設定される適正な輝度値とに基づいて、前記撮像手段の輝度値と前記適正な輝度値との異なり度合いを算出するとともに、設定される絞り値に基づいて前記撮像素子の感度低下分の値を算出し、設定される前記絞り値、設定されるシャッタスピード、設定される前記撮像素子の感度、前記撮像素子の感度低下分の値、及び、前記撮像手段の輝度値と前記適正な輝度値との異なり度合いを用いた所定の演算処理により、被写体輝度値を算出する第１の算出ステップと、
所定のプログラム線図を用いて、設定される前記撮像手段の感度及び前記被写体輝度値から絞り値を算出する第２の算出ステップと、
前記第２の算出ステップにより算出された前記絞り値に基づき前記撮像手段の露光制御を行う露光制御ステップと、
前記第２の算出ステップにより算出された前記絞り値に基づいてガンマ値を選択するガンマ選択ステップと、
前記ガンマ選択ステップにより選択されたガンマ値に基づいて、前記露光制御ステップの露光制御により得られる画像情報に対する画像処理を行う画像処理ステップとをコンピュータに実行させるためのプログラムを記録したコンピュータ読み取り可能な記録媒体。
【手続補正２】
【補正対象書類名】明細書
【補正対象項目名】００１３
【補正方法】変更
【補正の内容】
【００１３】
本発明の撮像装置は、画像を撮像する撮像手段と、露光された前記撮像手段の輝度値と予め設定される適正な輝度値とに基づいて、前記撮像手段の輝度値と前記適正な輝度値との異なり度合いを算出するとともに、設定される絞り値に基づいて前記撮像素子の感度低下分の値を算出し、設定される前記絞り値、設定されるシャッタスピード、設定される前記撮像素子の感度、前記撮像素子の感度低下分の値、及び、前記撮像手段の輝度値と前記適正な輝度値との異なり度合いを用いた所定の演算処理により、被写体輝度値を算出する第１の算出手段と、所定のプログラム線図を用いて、設定される前記撮像手段の感度及び前記被写体輝度値から絞り値を算出する第２の算出手段と、前記第２の算出手段により算出された前記絞り値に基づき前記撮像手段の露光制御を行う露光制御手段と、前記第２の算出手段により算出された前記絞り値に基づいてガンマ値を選択するガンマ選択手段と、前記ガンマ選択手段により選択されたガンマ値に基づいて、前記露光制御手段の露光制御により得られる画像情報に対する画像処理を行う画像処理手段とを有することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】